【手続補正書】
【提出日】平成20年4月11日(2008.4.11)
【手続補正１】
【補正対象書類名】明細書
【補正対象項目名】特許請求の範囲
【補正方法】変更
【補正の内容】
【特許請求の範囲】
【請求項１】  透明なフィルム基材の一面に、金属薄膜からなるメッシュを接着剤を介して積層し、前記金属薄膜からなるメッシュの凹凸面を平坦化する層を積層した電磁波遮蔽用部材において、
前記平坦化層が紫外線硬化型樹脂中に可視光及び／又は近赤外の特定の波長を吸収する吸収剤が含有されてなり、
且つ接着剤が熱硬化型樹脂又は紫外線硬化型樹脂中に可視光及び／又は近赤外の特定の波長を吸収する吸収剤が含有されてなる、電磁波遮蔽用部材。
【請求項２】  透明なフィルム基材の一面に、金属薄膜からなるメッシュを接着剤を介して積層し、前記金属薄膜からなるメッシュの凹凸面を平坦化する層を積層し、更に前記平坦化層又は、透明なフィルム基材の他方の面に、接着剤又は粘着剤を積層した電磁波遮蔽用部材において、
前記平坦化層が紫外線硬化型樹脂中に可視光及び／又は近赤外の特定の波長を吸収する吸収剤が含有されてなり、
且つ、前記透明なフィルム基材と金属薄膜からなるメッシュとの間の接着剤が熱硬化型樹脂又は紫外線硬化型樹脂中に可視光及び／又は近赤外の特定の波長を吸収する吸収剤が含有されてなる、電磁波遮蔽用部材。
【請求項３】  金属薄膜が銅の薄膜であることを特徴とする請求項１又は請求項２に記載の電磁波遮蔽用部材。
【請求項４】  請求項１、請求項２又は請求項３に記載の電磁波遮蔽用部材と、可視光吸収層及び／又は近赤外線吸収層を積層してなる電磁波遮蔽用部材。
【請求項５】  請求項１、請求項２、請求項３又は請求項４に記載の電磁波遮蔽用部材と、反射防止層及び／又は防眩層を積層してなる電磁波遮蔽用部材。
【請求項６】  請求項１、請求項２、請求項３、請求項４又は請求項５に記載の電磁波遮蔽用部材と、ガラス又はアクリル製の透明基板を積層してなる電磁波遮蔽用部材。
【請求項７】  請求項１、請求項２、請求項３、請求項４、請求項５又は請求項６に記載の電磁波遮蔽用部材を、ディスプレイの表面に直接積層してなるディスプレイ。
【手続補正２】
【補正対象書類名】明細書
【補正対象項目名】００１１
【補正方法】変更
【補正の内容】
【００１１】
【課題を解決するための手段】
上記課題を解決するために、本発明は下記（１）〜（７）の構成とした。
（１）透明なフィルム基材の一面に、金属薄膜からなるメッシュを接着剤を介して積層し、前記金属薄膜からなるメッシュの凹凸面を平坦化する層を積層した電磁波遮蔽用部材において、前記平坦化層が紫外線硬化型樹脂中に可視光及び／又は近赤外の特定の波長を吸収する吸収剤が含有されてなり、且つ接着剤が熱硬化型樹脂又は紫外線硬化型樹脂中に可視光及び／又は近赤外の特定の波長を吸収する吸収剤が含有されてなる、電磁波遮蔽用部材。
（２）透明なフィルム基材の一面に、金属薄膜からなるメッシュを接着剤を介して積層し、前記金属薄膜からなるメッシュの凹凸面を平坦化する層を積層し、更に前記平坦化層又は、透明なフィルム基材の他方の面に、接着剤又は粘着剤を積層した電磁波遮蔽用部材において、前記平坦化層が紫外線硬化型樹脂中に可視光及び／又は近赤外の特定の波長を吸収する吸収剤が含有されてなり、且つ、前記透明なフィルム基材と金属薄膜からなるメッシュとの間の接着剤が熱硬化型樹脂又は紫外線硬化型樹脂中に可視光及び／又は近赤外の特定の波長を吸収する吸収剤が含有されてなる、電磁波遮蔽用部材。
（３）金属薄膜が銅の薄膜であることを特徴とする上記（１）又は（２）の電磁波遮蔽用部材。
（４）上記（１）、（２）又は（３）の電磁波遮蔽用部材と、可視光吸収層及び／又は近赤外線吸収層を積層してなる電磁波遮蔽用部材。
（５）上記（１）、（２）、（３）又は（４）の電磁波遮蔽用部材と、反射防止層及び／又は防眩層を積層してなる電磁波遮蔽用部材。
（６）上記（１）、（２）、（３）、（４）又は（５）の電磁波遮蔽用部材と、ガラス又はアクリル製の透明基板を積層してなる電磁波遮蔽用部材。
（７）上記（１）、（２）、（３）、（４）、（５）又は（６）の電磁波遮蔽用部材を、ディスプレイの表面に直接積層してなるディスプレイ。
以下更に、本発明の課題を解決するための手段である、電磁波遮蔽用部材とディスプレイについて、以下に、図面と共に、説明する。図７は、本発明の電磁波遮蔽用部材の層構成の一例を示した断面図である。図８は、本発明の電磁波遮蔽用部材の層構成の別の一例を示した断面図である。図９は、本発明の電磁波遮蔽用部材を積層したディスプレイの一例を示した模式的な断面図である。本発明の電磁波遮蔽用部材とディスプレイの特徴について、（１）〜（７）に記載する。
（１）透明なフィルム基材４の一面に、金属薄膜からなるメッシュ５を接着剤を介して積層し、前記金属薄膜からなるメッシュ５の凹凸面を平坦化する層を積層した電磁波遮蔽用部材において、前記平坦化層６、１３が紫外線硬化型樹脂中に可視光及び／又は近赤外の特定の波長を吸収する吸収剤が含有されてなり、且つ接着剤が熱硬化型樹脂又は紫外線硬化型樹脂中に可視光及び／又は近赤外の特定の波長を吸収する吸収剤８が含有されていることを特徴とするものである。但し、ここで、図７乃至図９では、透明なフィルム基材４の一面に、金属薄膜からなるメッシュ５を、接着剤を介さずに、直接積層してある。
近赤外とは、一般に７８０ｎｍ〜１０００ｎｍの領域を指し、この波長域での吸収率が８０％以上であることが望ましい。・近赤外の特定の波長を吸収する吸収剤としては、酸化スズ、酸化インジウム、酸化マグネシウム、酸化チタン、酸化クロム、酸化ジルコニウム、酸化ニッケル、酸化アルミニウム、酸化亜鉛、酸化鉄、酸化アンチモン、酸化鉛、酸化ビスマス等の無機赤外線吸収剤、シアニン系化合物、フタロシアニン系化合物、ナフタロシアニン系化合物、ナフトキノン系化合物、アントラキノン系化合物、ジイモニウム類、ニッケル錯体類、ジチオール系錯体等の有機赤外線吸収剤等が使用できる。無機赤外線吸収剤は、微粒子が好ましく、平均粒子径が０．００５〜１μｍの範囲であることが好ましく、特に平均粒子径が０．０１〜０．５μｍの範囲であることが好ましい。また、無機赤外線吸収剤の微粒子は、可視光線透過率を良くする為、粒子径が１μｍ以下の分布が好ましい。赤外線吸収剤は、高分散状態に分散されていることが好ましい。・可視光を吸収する吸収剤とは、後記する金属の吸収剤と顔料の吸収剤である。
（２）透明なフィルム基材４の一面に、金属薄膜からなるメッシュ５を接着剤を介して積層し、前記金属薄膜からなるメッシュ５の凹凸面を平坦化する層を積層し、更に前記平坦化層６、１３又は、透明なフィルム基材４の他方の面に、接着剤又は粘着剤３、１２、１４を積層した電磁波遮蔽用部材において、前記平坦化層が紫外線硬化型樹脂中に可視光及び／又は近赤外の特定の波長を吸収する吸収剤が含有されてなり、且つ前記透明なフィルム基材と金属薄膜からなるメッシュとの間の接着剤が熱硬化型樹脂又は紫外線硬化型樹脂中に可視光及び／又は近赤外の特定の波長を吸収する吸収剤８が含有されていることを特徴とするものである。（図７乃至図９）
但し、ここで、図７乃至図９では、透明なフィルム基材４の面に、金属薄膜からなるメッシュ５を、接着剤を介さずに、直接積層してある。
【手続補正３】
【補正対象書類名】明細書
【補正対象項目名】００１２
【補正方法】変更
【補正の内容】
【００１２】
（３）上記（１）又は（２）において、金属薄膜が銅の薄膜であることを特徴とするものである。
（４）上記（１）、（２）又は（３）の電磁波遮蔽用部材と、可視光吸収層及び／又は近赤外線吸収層を積層してなる電磁波遮蔽用部材。
（可視光吸収層）可視光域（３８０〜７８０ｎｍ）の吸収層は、ディスプレイの色バランスをとる、或いは外光の光を吸収し、コントラストを向上する目的で設けられる。可視光吸収層の透過率の範囲としては、５０％〜９８％が好ましい。金属の吸収剤としては、例えば、Ｎｄ、Ａｕ、Ｐｔ、Ｐｄ、Ｎｉ、Ｃｒ、Ａｌ、Ａｇ、Ｉｎ2０3−ＳｎＯ2、ＣｕＩ、ＣｕＳ、Ｃｕ等の金属の１種類、或いは、２種類以上の組み合わせをしたものが使用される。これらを、蒸着，ＣＶＤ、スパッタリング等で成膜して、可視光吸収層としても良い。顔料の吸収剤としては、公知の顔料を使用することができる。具体的には、フタロシアニン系、アゾ系、縮合アゾ系、アゾレーキ系、アントラキノン系、ペリレン・ペリノン系、インジゴ・チオインジゴ系、イソインドリノ系、アゾメチンアゾ系、ジオキシザン系、キナクリドン系、アニリンブラック系、トリフェニルメタン系、カーボンブラック系等の有機顔料、ネオジム化合物系、酸化チタン系、酸化鉄系、水酸化鉄系、酸化クロム系、スピネル型焼成系、クロム酸系、クロムバーミリオン系、紺青系、アルミニウム粉末系、ブロンズ粉末系等が挙げられる。
（５）上記（１）、（２）、（３）又は（４）の電磁波遮蔽用部材と、反射防止層及び／又は防眩層１、７を積層してなる電磁波遮蔽用部材。（図７乃至図９）
（６）上記（１）、（２）、（３）、（４）又は（５）の電磁波遮蔽用部材と、ガラス又はアクリル製の透明基板２を積層してなる電磁波遮蔽用部材。（図７乃至図９）
（７）上記（１）、（２）、（３）、（４）、（５）又は（６）の電磁波遮蔽用部材を、ディスプレイの表面に直接積層してなるディスプレイ３０。（図９）